(57)【要約】      （修正有）【課題】日本建築センターの耐火試験が有する２時間以上の耐火基準に対応する、建物バスダクト貫通部の防火構造を提供する。【解決手段】丸棒又は角型鋼棒製の係止部材を嵌合する支持部材とからなる固定具３と丸鋼管製又は角形鋼管製固着具５で耐火性仕切板４を挟んで固定し、該耐火性仕切板とバスダクト１との間の接触面又は隙間を耐熱シール材７や耐火性仕切板端材で充填した。【選択図】図１
2005137194.tif 000002
【特許請求の範囲】
【請求項１】
バスダクト１が貫通している床スラブ１２に設けられた開口部９に、貫通枠２又は固定具３を設定する第一工程と、
前記開口部９合わせて切断した耐火仕切材４を、開口部９全体に充填し、又は開口部９上に被覆する第二工程と、
前記耐火仕切材４とバスダクト１との接触面又は隙間に、充填材を充填する第三工程と、からなることを特徴とする建物バスダクト貫通部の防火構造工法。
【請求項２】
前記バスダクト１は、床スラブ開口面の近傍箇所に予め延焼防止剤を塗布してあることを特徴とする請求項１記載の建物バスダクト貫通部の防火構造工法。
【請求項３】
バスダクト１が貫通している床スラブ１２に設けられた開口部９に、床平面上に貫通枠２の上部が位置するように設定する第一工程と、
該貫通枠２の端部から折り曲げ部を有する係止部材１２と係止部材１２の大きさに合わせて所定の長さに調整される支持部材１３とからなる固定具３を、前記バスダクト１に並列に設置する第二工程と、
前記開口部９の大きさに合わせて切断した耐火仕切材４を、開口部９全体に充填する第三工程と、
必要において、第三工程で充填した耐火仕切材４の上部に複数の固着材５を載置し、該固着材５端部の取付け金具８を固定する第四工程と、
前記耐火仕切材４とバスダクト１との接触面又は隙間に、充填材を充填する第五工程と、からなることを特徴とする建物バスダクト貫通部の防火構造工法。
【請求項４】
前記固定具３は、折り曲げ部を有する係止部材１２として丸鋼棒或いは角鋼棒からなり、該係止部材１２に嵌合して長さ調整可能な支持部材１３として前記丸鋼棒の直径より大きい内径を有する中空管或いは平空管、又は前記角鋼棒より大きい内径を有する角空管であることを特徴とする請求項１又は請求項３記載の建物バスダクト貫通部の防火構造工法。
【請求項５】
前記充填材は、耐熱シール材７、耐火仕切板端材１５を単独或いは組み合わせて充填することを特徴とする請求項１又は請求項３記載の建物バスダクト貫通部の防火構造工法。
【請求項６】
バスダクト１が貫通している床スラブ１２に設けられた開口部９に、床平面より高い位置に貫通枠２の上部が位置するように設定する第一工程と、
該貫通枠２の端部から折り曲げ部を有する係止部材１２と係止部材１２の大きさに合わせて所定の長さに調整される支持部材１３とからなる固定具３を、前記バスダクト１に並列に設置する第二工程と、
前記開口部９の大きさに合わせて切断した耐火仕切材４を、開口部９全体に充填する第三工程と、
第三工程で充填した耐火仕切材４の上部に複数の固着材５を載置し、該固着材５端部の取付け金具８を固定する第四工程と、
前記耐火仕切材４とバスダクト１との接触面又は隙間に、耐火仕切板端材１４と耐熱シール材７を単独或いは組み合わせて充填する第五工程と、
前記充填材の充填箇所より上方のバスダクト１周面に延焼防止剤１６を塗布する第六工程と、からなることを特徴とする建物バスダクト貫通部の防火構造工法。
【請求項７】
バスダクト１が貫通している壁スラブに設けられた開口部９に、貫通枠２又は固定具３を設定する第一工程と、
前記開口部９合わせて切断した耐火仕切材４を、開口部９全体に充填し、又は開口部９上に被覆する第二工程と、
前記耐火仕切材４とバスダクト１との接触面又は隙間に、充填材を充填する第三工程と、からなることを特徴とする建物バスダクト貫通部の防火構造工法。
【請求項８】
バスダクト１が貫通している壁スラブに設けられた開口部９に、該開口部９の端部から折り曲げ部を有する係止部材１２と該係止部材１２の大きさに合わせて所定の長さに調整される支持部材１３とからなる固定具３を、前記バスダクト１を並列に設置する第一工程と、
前記開口部９の大きさに合わせて切断した耐火仕切材４を、開口部９全体に充填する第二工程と、
第二工程で充填した耐火仕切材４の上部に複数の固着材５を載置し、該固着材５端部の取付け金具８を固定する第三工程と、
前記耐火仕切材４とバスダクト１との接触面又は隙間に、充填材を充填する第四工程と、からなることを特徴とする建物バスダクト貫通部の防火構造工法。
【請求項９】
バスダクト１が貫通している壁スラブに設けられた開口部９に、該開口部９の端部から折り曲げ部を有する係止部材１２と該係止部材１２の大きさに合わせて所定の長さに調整される支持部材１３とからなる固定具３を、前記バスダクト１を並列に設置する第一工程と、
前記開口部９の大きさに合わせて切断した耐火仕切材４を、開口部９全体に充填する第二工程と、
第二工程で充填した耐火仕切材４の上部に複数の固着材５を載置し、該固着材５端部の取付け金具８をビス６固定する第三工程と、
前記耐火仕切材４とバスダクト１との隙間に、耐火仕切板端材１４と耐熱シール材７を単独或いは組み合わせて充填する第四工程と、
前記耐熱シール材７充填箇所より上方のバスダクト１周面に延焼防止剤１６を塗布する第六工程と、からなることを特徴とする建物バスダクト貫通部の防火構造工法。
【請求項１０】
構造物の床又は壁スラブの貫通孔内に貫通するバスダクトを、上記貫通孔の開口部とバスダクトとの間を耐火材で遮蔽するバスダクト貫通部の防火構造において、
バスダクト１が貫通している床又は壁スラブに設けられた開口部９に、必要において設けられる貫通枠２と、
該貫通枠２、又は開口部壁面の両端部を連結する、折り曲げ部を有する係止部材１２と該係止部材１２の大きさに合わせて所定の長さに調整される支持部材１３とからなる固定具３と、
前記開口部９の大きさに合わせて充填する耐火仕切材４と、
耐火仕切材４を固定する複数の固着材と、
前記耐火仕切材４とバスダクト１との接触面又は隙間を充填する耐熱シール材７又は耐火仕切板端材１５とからなる充填材とで構成されることを特徴とする建物バスダクト貫通部の防火構造。
【発明の詳細な説明】
【技術分野】
【０００１】
本発明は、ビルやマンション、工場等における大きな建物における壁や床等の開口部を貫通するバスダクトの防火構造に関し、更に詳しくは、日本建築センターの１時間の耐火試験に対応出来る新規な建物バスダクト貫通部の防火構造を提供するものである。
【背景技術】
【０００２】
従来、ビルやマンション、工場等における大きな建物においては、建物が出火した場合に他の部屋への延焼を防止するためにいくつかの区画に仕切っており、それぞれの境界の壁や床に耐火スラブで防火区画を設けている。
【０００３】
これらの構造体を示すものとして特公平５−５２１２２号「建物耐火スラブの貫通部防火構造」は、「建物の耐火スラブに開設されてケーブル等の貫通物が貫通する貫通孔に耐火材で防火空間を形成し、この防火空間内には結合材を用いて吸熱性耐火材と熱膨張性耐火材の混合物又は吸熱性及び熱膨張性を有する耐火材を粒径１〜25ｍｍの顆粒状に成形してなる吸熱性。熱膨張性顆粒状耐火充填材を充填し、上記防火空間内において貫通物を吸熱性・熱膨張性顆粒状体か充填材で完全に包囲した建物耐火スラブの貫通部防火構造」が開示されている。
【０００４】
さらに特許第２９１６６６８号「ケーブル貫通部の防火構造」は、「複数のケーブルが、ケーブルラック内に収容された状態で、構造物の隔壁若しくは床壁を貫通する壁貫通孔に貫通配置され、上記複数のケーブル及びケーブルトラックの外周囲と上記壁貫通孔の開口部との間の隙間が耐火性仕切板により遮蔽されたケーブル貫通部の防火構造において、上記複数のケーブル及びケーブルラックの外周囲を、上記壁貫通孔の片側開口部から上記ケーブルの長手方向外側範囲にわたり覆う防火パテ塗着部と、この防火パテ塗着部を上記ケーブルの長手方向に直交する方向の両側から挟んで遮蔽する一対の耐火性遮蔽板と、この一対の遮蔽板を互いに独立して上記ケーブルトラックに対し着脱可能に位置固定する少なくとも一対の固定手段とを備えているケーブル貫通部の防火構造」が開示されている。
【０００５】
しかしながら従来の防火構造は、いずれも日本建築センターの２時間の耐火試験に合格するために、ロックウールを用いる場合には２００ｋｇ/ｍ３の充填密度で充填したり、防火パテを使用する場合には厚く整形すると剥離や脱落という危険性を有していたため、顆粒状からなる耐火充填材を用いたり一対の遮蔽板を用いてこれらを固定具で固定する等の対応をしていた。
【特許文献１】特公平５−５２１２２号
【特許文献２】特許第２９１６６６８号
【発明の開示】
【発明が解決しようとする課題】
【０００６】
近年、上記日本建築センターの耐火試験の時間が２時間から１時間へと改正されるようになり、簡易な構造体でしかも耐火特性に優れた防火構造の開発が建築業界の中で望まれていた。
【０００７】
また従来の構造体のようにロックウール等のような繊維状充填材を用いること無く、公害上対策にも優れた素材を用いる新規な構造物の開発も併せて望まれていた。
【課題を解決するための手段】
【０００８】
本発明者は掛かる課題を解決するために鋭意研究したところ、安価な丸棒からなる係止具や該係止具に嵌合する中空棒を耐火仕切板の固定具として用い、更に前記耐火仕切板上面を丸鋼管製の固着具と該固着具内径に挿通する端子状の取付け金具をビス固定することによって、耐火仕切板の位置がずれないように固定した後に耐熱シール材で耐火仕切材とバスダクトとの間の隙間を充填することによって密封状態に出来る新規な建物バスダクト貫通部の防火構造工法及び防火構造自体を提供するものである。
【０００９】
すなわち本発明の第一は、バスダクト１が貫通している床スラブ１２に設けられた開口部９に、貫通枠２又は固定具３を設定する第一工程と、
前記開口部９合わせて切断した耐火仕切材４を、開口部９全体に充填し、又は開口部９上に被覆する第二工程と、
前記耐火仕切材４とバスダクト１との接触面又は隙間に、充填材を充填する第三工程と、からなることを特徴とする建物バスダクト貫通部の防火構造工法である。
【００１０】
本発明の第二は、前記バスダクト１は、床スラブ開口面の近傍箇所に予め延焼防止剤を塗布してあることを特徴とする請求項１記載の建物バスダクト貫通部の防火構造工法である。
【００１１】
本発明の第三は、バスダクト１が貫通している床スラブ１２に設けられた開口部９に、床平面上に貫通枠２の上部が位置するように設定する第一工程と、
該貫通枠２の端部から折り曲げ部を有する係止部材１２と係止部材１２の大きさに合わせて所定の長さに調整される支持部材１３とからなる固定具３を、前記バスダクト１に並列に設置する第二工程と、
前記開口部９の大きさに合わせて切断した耐火仕切材４を、開口部９全体に充填する第三工程と、
必要において、第三工程で充填した耐火仕切材４の上部に複数の固着材５を載置し、該固着材５端部の取付け金具８を固定する第四工程と、
前記耐火仕切材４とバスダクト１との接触面又は隙間に、充填材を充填する第五工程と、からなることを特徴とする建物バスダクト貫通部の防火構造工法である。
【００１２】
本発明の第四は、前記固定具３は、折り曲げ部を有する係止部材１２として丸鋼棒或いは角鋼棒からなり、該係止部材１２に嵌合して長さ調整可能な支持部材１３として前記丸鋼棒の直径より大きい内径を有する中空管或いは平空管、又は前記角鋼棒より大きい内径を有する角空管であることを特徴とする請求項１又は請求項３記載の建物バスダクト貫通部の防火構造工法である。
【００１３】
本発明の第五は、前記充填材は、耐熱シール材７、耐火仕切板端材１５を単独或いは組み合わせて充填することを特徴とする請求項１又は請求項３記載の建物バスダクト貫通部の防火構造工法である。
【００１４】
本発明の第六は、バスダクト１が貫通している床スラブ１２に設けられた開口部９に、床平面より高い位置に貫通枠２の上部が位置するように設定する第一工程と、
該貫通枠２の端部から折り曲げ部を有する係止部材１２と係止部材１２の大きさに合わせて所定の長さに調整される支持部材１３とからなる固定具３を、前記バスダクト１に並列に設置する第二工程と、
前記開口部９の大きさに合わせて切断した耐火仕切材４を、開口部９全体に充填する第三工程と、
第三工程で充填した耐火仕切材４の上部に複数の固着材５を載置し、該固着材５端部の取付け金具８を固定する第四工程と、
前記耐火仕切材４とバスダクト１との接触面又は隙間に、耐火仕切板端材１４と耐熱シール材７を単独或いは組み合わせて充填する第五工程と、
前記充填材の充填箇所より上方のバスダクト１周面に延焼防止剤１６を塗布する第六工程と、からなることを特徴とする建物バスダクト貫通部の防火構造工法である。
【００１５】
本発明の第七は、バスダクト１が貫通している壁スラブに設けられた開口部９に、貫通枠２又は固定具３を設定する第一工程と、
前記開口部９合わせて切断した耐火仕切材４を、開口部９全体に充填し、又は開口部９上に被覆する第二工程と、
前記耐火仕切材４とバスダクト１との接触面又は隙間に、充填材を充填する第三工程と、からなることを特徴とする建物バスダクト貫通部の防火構造工法である。
【００１６】
本発明の第八は、バスダクト１が貫通している壁スラブに設けられた開口部９に、該開口部９の端部から折り曲げ部を有する係止部材１２と該係止部材１２の大きさに合わせて所定の長さに調整される支持部材１３とからなる固定具３を、前記バスダクト１を並列に設置する第一工程と、
前記開口部９の大きさに合わせて切断した耐火仕切材４を、開口部９全体に充填する第二工程と、
第二工程で充填した耐火仕切材４の上部に複数の固着材５を載置し、該固着材５端部の取付け金具８を固定する第三工程と、
前記耐火仕切材４とバスダクト１との接触面又は隙間に、充填材を充填する第四工程と、からなることを特徴とする建物バスダクト貫通部の防火構造工法である。
【００１７】
本発明の第九は、バスダクト１が貫通している壁スラブに設けられた開口部９に、該開口部９の端部から折り曲げ部を有する係止部材１２と該係止部材１２の大きさに合わせて所定の長さに調整される支持部材１３とからなる固定具３を、前記バスダクト１を並列に設置する第一工程と、
前記開口部９の大きさに合わせて切断した耐火仕切材４を、開口部９全体に充填する第二工程と、
第二工程で充填した耐火仕切材４の上部に複数の固着材５を載置し、該固着材５端部の取付け金具８をビス６固定する第三工程と、
前記耐火仕切材４とバスダクト１との隙間に、耐火仕切板端材１４と耐熱シール材７を単独或いは組み合わせて充填する第四工程と、
前記耐熱シール材７充填箇所より上方のバスダクト１周面に延焼防止剤１６を塗布する第六工程と、からなることを特徴とする建物バスダクト貫通部の防火構造工法である。
【００１８】
本発明の第十は、構造物の床又は壁スラブの貫通孔内に貫通するバスダクトを、上記貫通孔の開口部とバスダクトとの間を耐火材で遮蔽するバスダクト貫通部の防火構造において、
バスダクト１が貫通している床又は壁スラブに設けられた開口部９に、必要において設けられる貫通枠２と、
該貫通枠２、又は開口部壁面の両端部を連結する、折り曲げ部を有する係止部材１２と該係止部材１２の大きさに合わせて所定の長さに調整される支持部材１３とからなる固定具３と、
前記開口部９の大きさに合わせて充填する耐火仕切材４と、
耐火仕切材４を固定する複数の固着材と、
前記耐火仕切材４とバスダクト１との接触面又は隙間を充填する耐熱シール材７又は耐火仕切板端材１５とからなる充填材とで構成されることを特徴とする建物バスダクト貫通部の防火構造である。
【発明の効果】
【００１９】
本発明の防火構造は、床面や壁面の端部から固定具３を設置した上に耐火仕切材４をバスダクト１を囲むように充填し、更にこれらの隙間に耐熱シール材を充填するだけで耐熱性や防火性に優れた防火構造を得ることができ、従来品のように耐火仕切材を複数段必要としないため安価に製造可能なものである。
【００２０】
本発明の防火構造は、従来のように多数のロックウール等の耐熱材を用いなく、また圧縮されたロックウールの仕切り板表面には延焼防止材が塗布されているために、作業者が繊維質のウールを体内に吸収することは少なく安全である。
【００２１】
本発明の防火構造は、上記のように従来構造に比較すると簡易な構造であるが、新しい日本建築センターで指定する１時間の耐火試験に十分に対応可能な構造を有するものである。
【発明を実施するための最良の形態】
【００２２】
以下、図面を参照にして本発明の実施を詳細に説明するが、本発明の範囲はこれらに限定されるものではない。
【実施例１】
【００２３】
図１及び図２は、床面、特に水止めを兼ねた床バスダクト貫通部における防火構造を示す断面図と平面図である。
【００２４】
床スラブ１２に設けられた開口部９を貫通するＷ３１０×Ｈ１３５ｍｍのバスダクト１を密封充填して防火構造とする場合、先ず開口部９に嵌合する貫通枠２をはめ込み、上部が約５ｃｍ程度上面に出るように固着設定する（第一工程）。
【００２５】
次いで図５に示されるように折り曲げ部を有する丸棒からなる係止部材１２と、該係止部材１１の外形より大きく、内部が中空形状である支持部１２とを開口部の大きさに併せて切断して嵌合した固定具３を、前記バスダクト１を直行するように囲んだバスダクト１の幅方向に並列に設置する（第二工程）。
【００２６】
次いで、前記開口部９の大きさに合わせて切断した耐火仕切材４を、前記固定具３の上に掛かるようにしながら開口部９全体に押し込み充填する（第三工程）が、この場合、先ず耐火仕切材４を開口部の縦・横の長さに合わせて切断した後に、バスダクト１を囲むように凹凸形状に切断することが好ましい。
【００２７】
凹凸形状に切断された凹状の仕切材４は、固定具３の上に位置し、且つ、バスダクト１の外側に沿って開口部との間に押し込められ、一方の凸状仕切材の方はそのままではバスダクト１重なり合うために、重なり合わないように予めバスダクト１の形状に切断した後に、同様に固定具３の上に位置し、開口部との間に押し込めた。
【００２８】
上記耐火仕切材４としては、ロックウールを２００ｋｇ/ｍ３の圧力で圧縮した厚みが５０ｍｍの板に、水酸化アルミニウム、三酸化アンチモン、アクリルポリマー等の延焼防止剤を約１ｍｍ厚に塗布したした素材を用いたが、本発明に使用できる耐火仕切材４は、延焼防止効果を有し簡単に切断できる素材であれば全て応用できるものである。
【００２９】
第三工程で充填した耐火仕切材４表面を平らにした後に、複数の直径８ｍｍの丸鋼管製からなる固着材５と該丸鋼管の内径とほぼ同じ径で挿通する端部を有する端子状の取付け金具８とを組み合わせて取付け金具８の中心孔（図示せず）をピアスビス６で固定した（第四工程）が、上記固着材５の押さえにより耐火仕切板４は、前記丸棒製固定具３との間に固定され開口部からの落剥は生じない。
【００３０】
最後に、前記耐火仕切材４とバスダクト１との間に隙間が生ずるために、耐熱シール材７を充填して、階下からの延焼を防止するようにしている（第五工程）。
【００３１】
本発明で使用する耐熱シール材７は、上記水酸化アルミニウム、三酸化アンチモン、アクリルポリマー等の延焼防止剤にロックウールチップとを混合した粒土状のものが好ましいが、本発明に使用できる耐熱シール材７は、延焼防止効果を有し、簡単に充電可能なペースト素材であれば全て応用できるものである。
【実施例２】
【００３２】
図３及び図４は、壁面と同一面とするバスダクト貫通部における別な形態の防火構造を示す断面図と平面図である。
【００３３】
複数のバスダクト１が貫通している壁スラブ１３に設けられた開口部９に、該開口部９の端部から折り曲げ部を有する係止部材と係止部材の大きさに合わせて所定の長さに調整される支持部材１３とからなる固定具３を、前記バスダクト１を直行するように並列に設置する（第一工程）。
【００３４】
次いで、前記開口部９の大きさに合わせて切断した耐火仕切材４を、前記固定具３の上に掛かるようにしながら開口部９全体に押し込み充填する（第二工程）が、この場合、この場合、先ず耐火仕切材４を開口部の縦・横の長さに合わせて切断した後にバスダクト１を囲むように凹凸形状に切断した。
【００３５】
凹凸形状に切断された凹状仕切材を、縦方向で固定具３の上に位置し、一方の凸状仕切材の方も縦方向で押し込めた場合に、バスダクト１の先端部と重なり合うために、重なり合わないように予めバスダクト１の先端部の形状に切断した後に、同様に固定具３の上に位置するようにして開口部との間に押し込めた。
【００３６】
上記耐火仕切材４としては、上記同様にロックウールを２００ｋｇ/ｍ３の圧力で圧縮した厚みが５０ｍｍの板に、水酸化アルミニウム、三酸化アンチモン、アクリルポリマー等の延焼防止剤を約１ｍｍ厚に塗布したした素材を用いた。
【００３７】
第二工程で充填した耐火仕切材４表面を平らにした後に、複数の丸鋼管製の固着材５と該丸鋼管の内径とほぼ同じ径で挿通する端部を有する端子状の取付け金具８とを組み合わせて取付け金具８の中心孔（図示せず）をピアスビス６で固定した（第三工程）が、上記固着具５の押さえにより耐火仕切板４は、前記丸棒製固定具３との間に固定されるようになる。
【００３８】
最後に、前記耐火仕切材４とバスダクト１との間に隙間が生ずるために、耐熱シール材７を充填して、横室等からの延焼を防止するようにしている（第四工程）。
【００３９】
本発明で使用する耐熱シール材７は、上記水酸化アルミニウム、三酸化アンチモン、アクリルポリマー等の延焼防止剤にロックウールチップとを混合した粒土状のものを用いた。
【実施例３】
【００４０】
図６及び図７は、実施例１と同様に床面、特に水止めを兼ねた床バスダクト貫通部における防火構造を示す断面図と平面図である。
【００４１】
床スラブ１２に設けられた開口部９を貫通するＷ３１０×Ｈ１３５ｍｍのバスダクト１を密封充填して防火構造とする場合、先ず開口部９に嵌合する貫通枠２をはめ込み、上部が約５ｃｍ程度上面に出るように固着設定する（第一工程）。
【００４２】
次いで図１４に示されるように折り曲げ部を有する角鋼棒からなる係止部材１８と、該係止部材１８の外形より大きく、内部が中空形状である支持部１７とを開口部の大きさに併せて切断して嵌合した固定具３を、前記バスダクト１を直行するように囲んだバスダクト１の幅方向に並列に設置する（第二工程）。
【００４３】
次いで、前記開口部９の大きさに合わせて切断した耐火仕切材４を、前記固定具３の上に掛かるようにしながら開口部９全体に押し込み充填する（第三工程）が、この場合、先ず耐火仕切材４を開口部の縦・横の長さに合わせて切断した後に、バスダクト１を囲むように凹凸形状に切断することが好ましい。
【００４４】
凹凸形状に切断された凹状の仕切材４は、固定具３の上に位置し、且つ、バスダクト１の外側に沿って開口部との間に押し込められ、一方の凸状の仕切材の方はそのままではバスダクト１重なり合うために、重なり合わないように予めバスダクト１の形状に切断した後に、同様に固定具３の上に位置し、開口部との間に押し込めた。
【００４５】
上記耐火仕切材４としては、ロックウールを２００ｋｇ/ｍ３の圧力で圧縮した厚みが５０ｍｍの板に、水酸化アルミニウム、三酸化アンチモン、アクリルポリマー等の延焼防止剤を約１ｍｍ厚に塗布したした素材を用いたが、本発明に使用できる耐火仕切材４は、延焼防止効果を有し簡単に切断できる素材であれば全て応用できるものである。
【００４６】
第三工程で充填した耐火仕切材４表面を平らにした後の端部に、縦５ｍｍ、横５ｍｍの角鋼棒製からなる複数の固着材５と該角型棒の外径とほぼ同じ径で挿通する端部を有する端子状の取付け金具８とを組み合わせて取付け金具８の中心孔（図示せず）をピアスビス６で固定した（第四工程）が、上記固着材５の押さえにより耐火仕切板４は、前記丸棒製固定具３との間に固定され開口部からの落剥は生じない。
【００４７】
最後に、前記耐火仕切材４とバスダクト１との間に隙間が生ずるために、先に耐火仕切板端材１５を充填し、その上から耐熱シール材７を充填して、階下からの延焼を防止するようにしている（第五工程）。
【００４８】
さらに延焼効果を高めるために、前記耐熱シーツ充填箇所の上のバスダクト１周囲に約１０ｃｍ程度の縦幅に延焼防止材を塗布した（第六工程）。
【００４９】
本発明で使用する耐熱シール材７は、上記水酸化アルミニウム、三酸化アンチモン、アクリルポリマー等の延焼防止剤にロックウールチップとを混合した粒土状のものが好ましいが、本発明に使用できる耐熱シール材７は、延焼防止効果を有し、簡単に充電可能なペースト素材であれば全て応用できるものである。
【実施例４】
【００５０】
図７及び図８は、実施例１及び実施例３と同様に床面、特に水止めを兼ねた床バスダクト貫通部における防火構造を示す断面図と平面図である。
【００５１】
本実施例では、床スラブ１２に設けられた開口部９を貫通するＷ３１０×Ｈ１３５ｍｍのバスダクト１を密封充填して防火構造とする場合、予め開口部近傍のバスダクト１の周囲に高さ約１５ｃｍ程度に延焼防止剤１６を塗布し、次いで開口部９に嵌合する貫通枠２をはめ込み、上部が約５ｃｍ程度上面に出るように固着設定する（第一工程）。
【００５２】
次いで図１４に示されるように折り曲げ部を有する角鋼棒からなる係止部材１８と、該係止部材１８の外形より大きく、内部が中空形状である支持部１７とを開口部の大きさに併せて切断して嵌合した固定具３を、前記バスダクト１を直行するように囲んだバスダクト１の幅方向に並列に設置する（第二工程）。
【００５３】
次いで、前記開口部９の大きさに合わせて切断した耐火仕切材４を、前記固定具３の上に掛かるようにしながら開口部９全体に押し込み充填する（第三工程）が、この場合、先ず耐火仕切材４を開口部の縦・横の長さに合わせて切断した後に、バスダクト１を囲むように凹凸形状に切断することが好ましい。
【００５４】
凹凸形状に切断された凹状の仕切材４は、固定具３の上に位置し、且つ、バスダクト１の外側に沿って開口部との間に押し込められ、一方の凸状の仕切材の方はそのままではバスダクト１重なり合うために、重なり合わないように予めバスダクト１の形状に切断した後に、同様に固定具３の上に位置し、開口部との間に押し込めた。
【００５５】
上記耐火仕切材４としては、ロックウールを２００ｋｇ/ｍ３の圧力で圧縮した厚みが５０ｍｍの板に、水酸化アルミニウム、三酸化アンチモン、アクリルポリマー等の延焼防止剤を約１ｍｍ厚に塗布したした素材を用いたが、本発明に使用できる耐火仕切材４は、延焼防止効果を有し簡単に切断できる素材であれば全て応用できるものである。
【００５６】
第三工程で充填した耐火仕切材４表面を平らにした後の端部に、縦５ｍｍ、横５ｍｍの角型鋼管１４からなる複数の固着材と該角型鋼管の内径とほぼ同じ径で挿通する端部を有する端子状の取付け金具８とを組み合わせて取付け金具８の中心孔（図示せず）をピアスビス６で固定した（第四工程）が、上記固着材の押さえにより耐火仕切板４は、前記固定具３との間に固定され開口部からの落剥は生じない。
【００５７】
最後に、前記耐火仕切材４とバスダクト１との間に隙間が生ずるために、先に耐火仕切板端材１５を充填して、階下からの延焼を防止するようにしている（第五工程）。
【実施例５】
【００５８】
図１０及び図１１は、実施例２と同様に壁面と同一面とするバスダクト貫通部における別な形態の防火構造を示す断面図と平面図である。
【００５９】
複数のバスダクト１が貫通している壁スラブ１３に設けられた開口部９に、該開口部９の端部から折り曲げ部を有する係止部材と係止部材の大きさに合わせて所定の長さに調整される支持部材１３とからなる固定具３を、前記バスダクト１を直行するように並列に設置する（第一工程）。
【００６０】
次いで、前記開口部９の大きさに合わせて切断した耐火仕切材４を、前記固定具３の上に掛かるようにしながら開口部９全体に押し込み充填する（第二工程）が、この場合、この場合、先ず耐火仕切材４を開口部の縦・横の長さに合わせて切断した後にバスダクト１を囲むように凹凸形状に切断した。
【００６１】
凹凸形状に切断された凹状仕切材を、縦方向で固定具３の上に位置し、一方の凸状仕切材の方も縦方向で押し込めた場合に、バスダクト１の先端部と重なり合うために、重なり合わないように予めバスダクト１の先端部の形状に切断した後に、同様に固定具３の上に位置するようにして開口部との間に押し込めた。
【００６２】
上記耐火仕切材４としては、上記同様にロックウールを２００ｋｇ/ｍ３の圧力で圧縮した厚みが５０ｍｍの板に、水酸化アルミニウム、三酸化アンチモン、アクリルポリマー等の延焼防止剤を約１ｍｍ厚に塗布したした素材を用いた。
【００６３】
第二工程で充填した耐火仕切材４表面を平らにした後の端部に、複数の角型鋼棒の固着材５と該角型鋼棒管の内径とほぼ同じ径で挿通する端部を有する端子状の取付け金具８とを組み合わせて取付け金具８の中心孔（図示せず）をピアスビス６で固定した（第三工程）が、上記固着材５の押さえにより耐火仕切板４は、前記固定具３との間に固定されるようになる。
【００６４】
最後に、前記耐火仕切材４とバスダクト１との間に隙間が生ずるために、先に耐火仕切板端材を充填し、次いで耐熱シール材７を充填して横室等からの延焼を防止するようにしている（第四工程）。
【００６５】
本発明で使用する耐熱シール材７は、上記水酸化アルミニウム、三酸化アンチモン、アクリルポリマー等の延焼防止剤にロックウールチップとを混合した粒土状のものを用いた。
【実施例６】
【００６６】
図１２及び図１３は、実施例２及び実施例５と同様に壁面と同一面とするバスダクト貫通部における別な形態の防火構造を示す断面図と平面図である。
【００６７】
本実施例では、壁スラブ１１に設けられた開口部９を貫通するＷ３１０×Ｈ１３５ｍｍのバスダクト１を密封充填して防火構造とする場合、予め開口部近傍のバスダクト１の周囲に高さ約１５ｃｍ程度に延焼防止剤１６を塗布し、次いで開口部９に嵌合する貫通枠２をはめ込み、上部を固着設定する（第一工程）。
【００６８】
次いで図１４に示されるように折り曲げ部を有する角鋼棒からなる係止部材１８と、該係止部材１８の外形より大きく、内部が中空形状である支持部１７とを開口部の大きさに併せて切断して嵌合した固定具３を、前記バスダクト１を直行するように囲んだバスダクト１の幅方向に並列に設置する（第二工程）。
【００６９】
次いで、前記開口部９の大きさに合わせて切断した耐火仕切材４を、前記固定具３の上に掛かるようにしながら開口部９全体に押し込み充填する（第三工程）が、この場合、先ず耐火仕切材４を開口部の縦・横の長さに合わせて切断した後に、バスダクト１を囲むように凹凸形状に切断することが好ましい。
【００７０】
凹凸形状に切断された凹状の仕切材４は、固定具３の上に位置し、且つ、バスダクト１の外側に沿って開口部との間に押し込められ、一方の凸状の仕切材の方はそのままではバスダクト１重なり合うために、重なり合わないように予めバスダクト１の形状に切断した後に、同様に固定具３の上に位置し、開口部との間に押し込めた。
【００７１】
上記耐火仕切材４としては、ロックウールを２００ｋｇ/ｍ３の圧力で圧縮した厚みが５０ｍｍの板に、水酸化アルミニウム、三酸化アンチモン、アクリルポリマー等の延焼防止剤を約１ｍｍ厚に塗布したした素材を用いたが、本発明に使用できる耐火仕切材４は、延焼防止効果を有し簡単に切断できる素材であれば全て応用できるものである。
【００７２】
第三工程で充填した耐火仕切材４表面を平らにした後の端部に、縦５ｍｍ、横５ｍｍの角鋼棒製からなる複数の固着材５と該角型棒の外径とほぼ同じ径で挿通する端部を有する端子状の取付け金具８とを組み合わせて取付け金具８の中心孔（図示せず）をピアスビス６で固定した（第四工程）が、上記固着材５の押さえにより耐火仕切板４は、前記固定具３との間に固定され開口部からの落剥は生じない。
【００７３】
最後に、前記耐火仕切材４とバスダクト１との間に隙間が生ずるために、先に耐火仕切板端材１５を充填して、階下からの延焼を防止するようにしている（第五工程）。
【００７４】
本発明において、床スラブに開口部を設けてバスダクトを貫通させる実施例として、実施例１、実施例３及び実施例４で水止めを兼ねた床バスダクト貫通部における防火構造を示しているが、本発明の場合、貫通枠を床スラブより高く用いて水止めを兼ねる必要がない場合には、貫通枠２の端部を直接床スラブに固定して実施例同様に、貫通枠２の端部から折り曲げ部を有する係止部材１２と係止部材１２の大きさに合わせて所定の長さに調整される支持部材１３とからなる固定具３を、前記バスダクト１に並列に設置した後に、前記開口部９の大きさに合わせて切断した耐火仕切材４を、開口部９全体に充填し、必要において、充填した耐火仕切材４の上部に複数の固着材５を載置し、該固着材５端部の取付け金具８を固定して、前記耐火仕切材４とバスダクト１との接触面又は隙間に、充填材を充填しても良い。
【００７５】
さらに、床スラブ面に直接固着材５を載置し、その上に開口部９より若干大きく切断した耐火仕切材４を、開口部９の上に被覆し、必要において、該耐火仕切材４の上部に複数の固着材５を載置して固着材５端部の取付け金具８を固定し、前記耐火仕切材４とバスダクト１との接触面又は隙間に、充填材を充填しても良い。
【００７６】
本発明において、開口部に耐火仕切り板を充填するに開口部を設けてバスダクトを貫通させる実施例として、実施例２、実施例５及び実施例６で開口部に耐火仕切り板を充填する壁バスダクト貫通部における防火構造を示しているが、本発明の場合、開口部に耐火仕切り板を壁スラブに沿って被覆する場合には、壁スラブ面に直接貫通枠２や固着材５を載置し、その上に開口部９より若干大きく切断した耐火仕切材４を、開口部９の上に被覆し、必要において、該耐火仕切材４の上部に複数の固着材５を載置して固着材５端部の取付け金具８を固定し、前記耐火仕切材４とバスダクト１との接触面又は隙間に、充填材を充填しても上記実施例と同様の効果を得ることができる。
【図面の簡単な説明】
【００７７】
【図１】本発明における水止め機能を兼ねた床防止構造を示す断面図である。
【図２】図１における平面図である。
【図３】本発明における壁防止構造を示す断面図である。
【図４】図３における平面図である。
【図５】本発明で使用する固定具の斜視図である。
【図６】本発明における別な構造の壁防止構造を示す断面図である
【図７】図６における平面図である。
【図８】本発明における別な構造の壁防止構造を示す断面図である
【図９】図８における平面図である。
【図１０】本発明における別な構造の壁防止構造を示す断面図である
【図１１】図１０における平面図である。
【図１２】本発明における別な構造の壁防止構造を示す断面図である
【図１３】図１２における平面図である。
【図１４】本発明で使用する固定具の斜視図である。
【符号の説明】
【００７８】
１・・・バスダクト
２・・・貫通枠
３・・・固定具
４・・・耐火仕切板
５・・・固着材
６・・・ビス
７・・・耐熱シール材
８・・・取付け金具
９・・・開口部
１０・・床スラブ
１１・・壁スラブ
１２・・係止部材
１３・・支持部
１４・・角型鋼管
１５・・耐火仕切板端材
１６・・延焼防止剤
１７・・係止部材
１８・・支持部
【図１】
2005137194.tif 000003
【図２】
2005137194.tif 000004
【図３】
2005137194.tif 000005
【図４】
2005137194.tif 000006
【図５】
2005137194.tif 000007
【図６】
2005137194.tif 000008
【図７】
2005137194.tif 000009
【図８】
2005137194.tif 000010
【図９】
2005137194.tif 000011
【図１０】
2005137194.tif 000012
【図１１】
2005137194.tif 000013
【図１２】
2005137194.tif 000014
【図１３】
2005137194.tif 000015
【図１４】
2005137194.tif 000016